(57)【要約】  本発明は式Ｉのホトクロミックビス−ナフトピラン化合物並びにそれらの製造方法および用途を提供する。本発明は紫外光源により活性化されると広範囲の色、すなわち桃色から紫色ないし青灰色を示す。さらに、本発明のビス−ナフト化合物は着色能力が広範囲であり、着色応答が速く、かつ疲労耐性が良好である。
2005508897.tif 000002
【特許請求の範囲】
【請求項１】
次式の化合物
【化１】
2005508897.tif 000013
式中、Xはイオウまたは酸素であり；
Ｒ’、Ｒ’’は、同一であっても異なっていてもよく、それぞれ独立に水素、ヒドロキシ、ハロゲン、ニトロ、シアノ、アリル、直鎖状または分岐状（Ｃ1 −Ｃ20）アルキル、（Ｃ3 −Ｃ20）シクロアルキル、（Ｃ1 −Ｃ20）アルコキシ、（Ｃ1 −Ｃ20）アルキルアセチレニル、フェニルアセチレニル、（Ｃ1 −Ｃ20）アルケニル、フェニルビニル、ハロ（Ｃ1 −Ｃ20）アルキル、ハロ（Ｃ3 −Ｃ20）シクロアルキル、ハロ（Ｃ1 −Ｃ20）アルコキシ、任意に（Ｃ1 −Ｃ6 ）アルキルまたは（Ｃ1 −Ｃ6 ）アルコキシで置換されたアリール、アリールオキシもしくはヘテロアリール；アリールアルキルまたはヘテロアリールアルキル；任意に（Ｃ1 −Ｃ6 ）アルキルまたは（Ｃ1 −Ｃ6 ）アルコキシで置換された炭素数５または６の窒素含有ヘテロ環、−Ｎ（Ｒ1 ）Ｒ2 、ＣＯＮ（Ｒ1 ）Ｒ2 （ただし、（Ｒ1 およびＲ2 は、同一または異なっていてもよいが、それぞれ独立に水素、（Ｃ1 −Ｃ20）アルキル、（Ｃ3 −Ｃ20）シクロアルキル、および任意に置換されているフェニルである）；−ＯＣＯＲ、−ＣＯＯＲまたは−ＣＯＲ（ただし、Ｒは水素、（Ｃ1 −Ｃ20）アルキル、（Ｃ3 −Ｃ20）シクロアルキル、または任意に（Ｃ1 −Ｃ6 ）アルキルまたは（Ｃ1 −Ｃ6 ）アルコキシで置換されたアリールもしくはヘテロアリールであり；
Ａ’およびＡ’’は、同一であっても異なっていてもよく、それぞれ独立に
直鎖状もしくは分岐状（Ｃ1 −Ｃ12）アルキル、（Ｃ3 −Ｃ12）シクロアルキル、アリール（Ｃ1 −Ｃ6 ）アルキルまたはヘテロアリール（Ｃ1 −Ｃ6 ）アルキル、（Ｃ1 −Ｃ6 ）アルコキシ（Ｃ1 −Ｃ6 ）アルキル、（Ｃ1 −Ｃ12）アルコキシ、ハロ（Ｃ1 −Ｃ12）アルキル、（Ｃ1 −Ｃ12）ハロアルコキシ、（Ｃ1 −Ｃ12）アルキルチオ；
任意に置換されたアリール基；
任意に置換されたヘテロアリール基；
下記式の基
【化２】
2005508897.tif 000014
式中、Ｂは水素、（Ｃ1 −Ｃ12）アルキル、または任意に置換されたアリール；
未置換またはモノ−置換ピラゾリル、ピリジル、イミダゾリル、ピラゾリニル、イミダゾリニルまたはアクリジニルを表し、該置換基は（Ｃ1 −Ｃ6 ）アルキル、（Ｃ1 −Ｃ6 ）アルコキシ、フルオロ、クロロ、およびフェニルからなる群から選ばれる；
（ｆ）下記式の基
【化３】
2005508897.tif 000015
式中、ＣおよびＤは、同一でも異なっていてもよいが、それぞれ独立に炭素、酸素、（Ｃ1 −Ｃ12）アルキル窒素、または（Ｃ1 −Ｃ12）アシル窒素を表し；
Ｒ3 およびＲ4 はそれぞれ水素または（Ｃ1 −Ｃ12）アルキルであり；
前記フェニル部分は任意に（Ｃ1 −Ｃ12）アルキル、（Ｃ1 −Ｃ12）アルコキシ、フルオロまたはクロロで置換されていてもよく、
ｎは１〜８の整数であり、かつ
ｍは０〜３の整数である。
【請求項２】
Ｘはイオウまたは酸素であり；
Ｒ’、Ｒ’’は、同一であっても異なっていてもよく、それぞれ水素、ニトロ、シアノ、アリル、フルオロ、クロロ、ブロモ、トリフルオロメチル、トリクロロメチル、ピロリジノ、ピペリジノ、モルホリニル、フェニル、ベンジル；直鎖状もしくは分岐状（Ｃ1 −Ｃ6 ）アルキル、（Ｃ1 −Ｃ6 ）アルコキシ、または−ＯＣＯＲもしくは−ＣＯＯＲであり、ここにＲは水素、（Ｃ1 −Ｃ6 ）アルキル、（Ｃ3 −Ｃ6 ）シクロアルキルであり；
Ａ’およびＡ’’は、同一であっても異なっていてもよく、それぞれ独立に
直鎖状もしくは分岐状（Ｃ1 −Ｃ12）アルキル、（Ｃ3 −Ｃ6 ）シクロアルキル、アリール（Ｃ1 −Ｃ4 ）アルキルまたはヘテロアリール（Ｃ1 −Ｃ4 ）アルキル、（Ｃ1 −Ｃ6 ）アルコキシ（Ｃ1 −Ｃ6 ）アルキル；
フェニルまたはナフチルから選ばれる、未置換、モノ−もしくはジ−置換アリール；
フリル、チエニル、ピリル、インドリル、ベンゾフリル、ベンゾチエニル、ピリジル、ジベンゾフリル、ジベンゾチエニルまたはカルバゾリルであり、その置換基がニトロ、アミノ、シアノ、ヒドロキシ、エポキシ、ヒドロキシエトキシ、メトキシエトキシ、ヒドロキシエトキシエトキシ、メトキシエトキシエトキシ、フルオロ、クロロ、ブロモ、ヨード、ビニル、アリル、トリフルオロメチル、フェニル、（Ｃ1 −Ｃ6 ）アルキル、（Ｃ1 −Ｃ6 ）アルコキシ、シクロ（Ｃ3 −Ｃ6 ）アルキル、シクロ（Ｃ1 −Ｃ6 ）アルコキシ、（Ｃ1 −Ｃ6 ）アルキルアミノ、ジ（Ｃ1 −Ｃ6 ）アルキルアミノ、ジアリールアミノ、フェニルアセチレニルまたはフェニルビニルである未置換もしくはモノ−置換ヘテロアリール；
Ｎ（Ｃ1 −Ｃ6 ）アルキルピペラジノ、Ｎ−アリール−ピペリジノ、アジリジノ、インドリノ、ピロリジノ、ピロリノ、ピペリジノ、（Ｃ1 −Ｃ4 ）アルキルピペリジノ、ジ（Ｃ1 −Ｃ4 ）アルキルピペリジノ、４−ピペリジノピペリジノ、モルホリノ、２，６−ジ（Ｃ1 −Ｃ4 ）アルキルモルホリノ、チオモルホリノ、チオアゾリジノ、テトラヒドロキノリノまたはピリル；
−Ｎ（Ｒ1 ）Ｒ2 、ＣＯＮ（Ｒ1 ）Ｒ2 、ここに、Ｒ1 およびＲ2 は、同一であっても異なっていてもよく、それぞれ独立に水素、（Ｃ1 −Ｃ6 ）アルキル、（Ｃ3 −Ｃ6 ）シクロアルキル、フェニル、または−ＯＣＯＲ、−ＣＯＯＲもしくは−ＣＯＲ（ただし、Ｒは水素、（Ｃ1 −Ｃ6 ）アルキル、（Ｃ3 −Ｃ6 ）シクロアルキルまたはフェニルであり；
ｎは１〜６の整数であり、かつ
ｍは０〜２の整数である
ことを特徴とする請求項１に記載の化合物。
【請求項３】
Ｘはイオウであり、
Ｒ’、Ｒ’’は、同一であっても異なっていてもよく、それぞれ独立に水素、ニトロ、シアノ、アリル、フルオロ、クロロ、ブロモ、ピロリジノ、ピペリジノ、モルホリニル、フェニル、ベンジル、（Ｃ1 −Ｃ4 ）アルキルまたは（Ｃ1 −Ｃ4 ）アルコキシであり；
Ａ’およびＡ’’は、同一であっても異なっていてもよく、それぞれ独立に
直鎖状もしくは分岐状（Ｃ1 −Ｃ4 ）アルキル、（Ｃ3 −Ｃ6 ）シクロアルキル；
未置換、モノ−もしくはジ−置換フェニル、置換基はニトロ、アミノ、アシル、シアノ、メトキシ、エトキシ、メトキシエトキシ、フルオロ、クロロ、ビニル、アリル、メトキシカルボニル、エトキシカルボニル、（Ｃ1 −Ｃ4 ）アルキル、ジ（Ｃ1 −Ｃ4 ）アルキルアミノ、ピペラジノ、ピペリジノ、アリールピペリジノ、モルホリノ、ピロリジノ、アジリジノ、アクリロキシ、メタクリロキシ、フェニルアセチレニル、フェニルビニル；
未置換、もしくは（Ｃ1 −Ｃ4 ）アルキルまたはフェニルの置換基でモノ−置換されたフリル、チエニルもしくはピリルであり；
ｎは１〜４の整数であり、かつ
ｍは０〜２の整数である
ことを特徴とする請求項１に記載の化合物。
【請求項４】
５，５’−ビス［３−（ｐ−メトキシフェニル）−［３Ｈ］−ナフト［２，１−ｂ］ピラン−３−イル］−２，２’−ビチオフェン；
５，５’−ビス［３−（ｐ−メチルフェニル）−［３Ｈ］−ナフト［２，１−ｂ］ピラン−３−イル］−２，２’−ビチオフェン；
５，５’−ビス［３−（ｐ−フルオロフェニル）−［３Ｈ］−ナフト［２，１−ｂ］ピラン−３−イル］−２，２’−ビチオフェン；
５，５’−ビス［３−（ｏ−フルオロフェニル）−［３Ｈ］−ナフト［２，１−ｂ］ピラン−３−イル］−２，２’−ビチオフェン；
５，５’’’−ビス［３−（ナフタレン−２−イル）−［３Ｈ］−ナフト［２，１−ｂ］ピラン−３−イル］［２，２’，５’，２’’，５’’，２’’’］−クワテルチオフェン；または
５，５’’’−ビス［３−（ｏ−フルオロフェニル）−［３Ｈ］−ナフト［２，１−ｂ］ピラン−３−イル］［２，２’，５’，２’’，５’’，２’’’］−クワテルチオフェンからなる群から選ばれる化合物。
【請求項５】
ナフトピランおよびスピロオキサジンからなる群から選ばれるホトクロミック化合物、１種以上の非ホトクロミック染料またはこれらの組み合わせをさらに含むことを特徴とする請求項１、請求項２、請求項３または請求項４に記載の化合物。
【請求項６】
下式の化合物を含む眼科用レンズ
【化４】
2005508897.tif 000016
式中、Ｘはイオウまたは酸素であり；
Ｒ’、Ｒ’’は、同一であっても異なっていてもよく、それぞれ独立に水素、ヒドロキシ、ハロゲン、ニトロ、シアノ、アリル、直鎖状または分岐状（Ｃ1 −Ｃ20）アルキル、（Ｃ3 −Ｃ20）シクロアルキル、（Ｃ1 −Ｃ20）アルコキシ、（Ｃ1 −Ｃ20）アルキルアセチレニル、フェニルアセチレニル、（Ｃ1 −Ｃ20）アルケニル、フェニルビニル、ハロ（Ｃ1 −Ｃ20）アルキル、ハロ（Ｃ3 −Ｃ20）シクロアルキル、ハロ（Ｃ1 −Ｃ20）アルコキシ、任意に（Ｃ1 −Ｃ6 ）アルキルまたは（Ｃ1 −Ｃ6 ）アルコキシで置換されたアリール、アリールオキシもしくはヘテロアリール；アリールアルキルまたはヘテロアリールアルキル；任意に（Ｃ1 −Ｃ6 ）アルキルまたは（Ｃ1 −Ｃ6 ）アルコキシで置換された炭素数５または６の窒素含有ヘテロ環、−Ｎ（Ｒ1 ）Ｒ2 、ＣＯＮ（Ｒ1 ）Ｒ2 （ただし、（Ｒ1 およびＲ2 は、同一または異なっていてもよいが、それぞれ独立に水素、（Ｃ1 −Ｃ20）アルキル、（Ｃ3 −Ｃ20）シクロアルキル、および任意に置換されているフェニルである）；−ＯＣＯＲ、−ＣＯＯＲまたは−ＣＯＲ（ただし、Ｒは水素、（Ｃ1 −Ｃ20）アルキル、（Ｃ3 −Ｃ20）シクロアルキル、または任意に（Ｃ1 −Ｃ6 ）アルキルまたは（Ｃ1 −Ｃ6 ）アルコキシで置換されたアリールもしくはヘテロアリールであり；
Ａ’およびＡ’’は、同一であっても異なっていてもよく、それぞれ独立に
直鎖状もしくは分岐状（Ｃ1 −Ｃ12）アルキル、（Ｃ3 −Ｃ12）シクロアルキル、アリール（Ｃ1 −Ｃ6 ）アルキルまたはヘテロアリール（Ｃ1 −Ｃ6 ）アルキル、（Ｃ1 −Ｃ6 ）アルコキシ（Ｃ1 −Ｃ6 ）アルキル、（Ｃ1 −Ｃ12）アルコキシ、ハロ（Ｃ1 −Ｃ12）アルキル、（Ｃ1 −Ｃ12）ハロアルコキシ、（Ｃ1 −Ｃ12）アルキルチオ；
任意に置換されたアリール基；
任意に置換されたヘテロアリール基；
下記式の基
【化５】
2005508897.tif 000017
式中、Ｂは水素、（Ｃ1 −Ｃ12）アルキル、または任意に置換されたアリール；
未置換またはモノ−置換ピラゾリル、ピリジル、イミダゾリル、ピラゾリニル、イミダゾリニルまたはアクリジニルを表し、該置換基は（Ｃ1 −Ｃ6 ）アルキル、（Ｃ1 −Ｃ6 ）アルコキシ、フルオロ、クロロ、およびフェニルからなる群から選ばれる；
（ｆ）下記式の基
【化６】
2005508897.tif 000018
式中、ＣおよびＤは、同一でも異なっていてもよいが、それぞれ独立に炭素、酸素、（Ｃ1 −Ｃ12）アルキル窒素、または（Ｃ1 −Ｃ12）アシル窒素を表し；
Ｒ3 およびＲ4 はそれぞれ水素または（Ｃ1 −Ｃ12）アルキルであり；
前記フェニル部分は任意に（Ｃ1 −Ｃ12）アルキル、（Ｃ1 −Ｃ12）アルコキシ、フルオロまたはクロロで置換されていてもよく、
ｎは１〜８の整数であり、かつ
ｍは０〜３の整数である。
【請求項７】
Ｘはイオウまたは酸素であり；
Ｒ’、Ｒ’’は、同一であっても異なっていてもよく、それぞれ水素、ニトロ、シアノ、アリル、フルオロ、クロロ、ブロモ、トリフルオロメチル、トリクロロメチル、ピロリジノ、ピペリジノ、モルホリニル、フェニル、ベンジル；直鎖状もしくは分岐状（Ｃ1 −Ｃ6 ）アルキル、（Ｃ1 −Ｃ6 ）アルコキシ、または−ＯＣＯＲもしくは−ＣＯＯＲであり、ここにＲは水素、（Ｃ1 −Ｃ6 ）アルキル、（Ｃ3 −Ｃ6 ）シクロアルキルであり；
Ａ’およびＡ’’は、同一であっても異なっていてもよく、それぞれ独立に
直鎖状もしくは分岐状（Ｃ1 −Ｃ12）アルキル、（Ｃ3 −Ｃ6 ）シクロアルキル、アリール（Ｃ1 −Ｃ4 ）アルキルまたはヘテロアリール（Ｃ1 −Ｃ4 ）アルキル、（Ｃ1 −Ｃ6 ）アルコキシ（Ｃ1 −Ｃ6 ）アルキル；
フェニルまたはナフチルから選ばれる、未置換、モノ−もしくはジ−置換アリール；
フリル、チエニル、ピリル、インドリル、ベンゾフリル、ベンゾチエニル、ピリジル、ジベンゾフリル、ジベンゾチエニルまたはカルバゾリルであり、その置換基がニトロ、アミノ、シアノ、ヒドロキシ、エポキシ、ヒドロキシエトキシ、メトキシエトキシ、ヒドロキシエトキシエトキシ、メトキシエトキシエトキシ、フルオロ、クロロ、ブロモ、ヨード、ビニル、アリル、トリフルオロメチル、フェニル、（Ｃ1 −Ｃ6 ）アルキル、（Ｃ1 −Ｃ6 ）アルコキシ、シクロ（Ｃ3 −Ｃ6 ）アルキル、シクロ（Ｃ1 −Ｃ6 ）アルコキシ、（Ｃ1 −Ｃ6 ）アルキルアミノ、ジ（Ｃ1 −Ｃ6 ）アルキルアミノ、ジアリールアミノ、フェニルアセチレニルまたはフェニルビニルである未置換もしくはモノ−置換ヘテロアリール；
Ｎ（Ｃ1 −Ｃ6 ）アルキルピペラジノ、Ｎ−アリール−ピペリジノ、アジリジノ、インドリノ、ピロリジノ、ピロリノ、ピペリジノ、（Ｃ1 −Ｃ4 ）アルキルピペリジノ、ジ（Ｃ1 −Ｃ4 ）アルキルピペリジノ、４−ピペリジノピペリジノ、モルホリノ、２，６−ジ（Ｃ1 −Ｃ4 ）アルキルモルホリノ、チオモルホリノ、チオアゾリジノ、テトラヒドロキノリノまたはピリル；
−Ｎ（Ｒ1 ）Ｒ2 、ＣＯＮ（Ｒ1 ）Ｒ2 、ここに、Ｒ1 およびＲ2 は、同一であっても異なっていてもよく、それぞれ独立に水素、（Ｃ1 −Ｃ6 ）アルキル、（Ｃ3 −Ｃ6 ）シクロアルキル、フェニル、または−ＯＣＯＲ、−ＣＯＯＲもしくは−ＣＯＲ（ただし、Ｒは水素、（Ｃ1 −Ｃ6 ）アルキル、（Ｃ3 −Ｃ6 ）シクロアルキルまたはフェニルであり；
ｎは１〜６の整数であり、かつ
ｍは０〜２の整数である
ことを特徴とする請求項１に記載の眼科用レンズ。
【請求項８】
Ｘはイオウであり、
Ｒ’、Ｒ’’は、同一であっても異なっていてもよく、それぞれ独立に水素、ニトロ、シアノ、アリル、フルオロ、クロロ、ブロモ、ピロリジノ、ピペリジノ、モルホリニル、フェニル、ベンジル、（Ｃ1 −Ｃ4 ）アルキルまたは（Ｃ1 −Ｃ4 ）アルコキシであり；
Ａ’およびＡ’’は、同一であっても異なっていてもよく、それぞれ独立に
直鎖状もしくは分岐状（Ｃ1 −Ｃ4 ）アルキル、（Ｃ3 −Ｃ6 ）シクロアルキル；
未置換、モノ−もしくはジ−置換フェニル、置換基はニトロ、アミノ、アシル、シアノ、メトキシ、エトキシ、メトキシエトキシ、フルオロ、クロロ、ビニル、アリル、メトキシカルボニル、エトキシカルボニル、（Ｃ1 −Ｃ4 ）アルキル、ジ（Ｃ1 −Ｃ4 ）アルキルアミノ、ピペラジノ、ピペリジノ、アリールピペリジノ、モルホリノ、ピロリジノ、アジリジノ、アクリロキシ、メタクリロキシ、フェニルアセチレニル、フェニルビニル；
未置換、もしくは（Ｃ1 −Ｃ4 ）アルキルまたはフェニルの置換基でモノ−置換されたフリル、チエニルもしくはピリルであり；
ｎは１〜４の整数であり、かつ
ｍは０〜２の整数である
ことを特徴とする請求項１に記載の眼科用レンズ。
【請求項９】
５，５’−ビス［３−（ｐ−メトキシフェニル）−［３Ｈ］−ナフト［２，１−ｂ］ピラン−３−イル］−２，２’−ビチオフェン；
５，５’−ビス［３−（ｐ−メチルフェニル）−［３Ｈ］−ナフト［２，１−ｂ］ピラン−３−イル］−２，２’−ビチオフェン；
５，５’−ビス［３−（ｐ−フルオロフェニル）−［３Ｈ］−ナフト［２，１−ｂ］ピラン−３−イル］−２，２’−ビチオフェン；
５，５’−ビス［３−（ｏ−フルオロフェニル）−［３Ｈ］−ナフト［２，１−ｂ］ピラン−３−イル］−２，２’−ビチオフェン；
５，５’’’−ビス［３−（ナフタレン−２−イル）−［３Ｈ］−ナフト［２，１−ｂ］ピラン−３−イル］［２，２’，５’，２’’，５’’，２’’’］−クワテルチオフェン；または
５，５’’’−ビス［３−（ｏ−フルオロフェニル）−［３Ｈ］−ナフト［２，１−ｂ］ピラン−３−イル］［２，２’，５’，２’’，５’’，２’’’］−クワテルチオフェンからなる群から選ばれる化合物を含む眼科用レンズ。
【請求項１０】
ナフトピランスピロオキサジン１種以上の非ホトクロミック染料またはこれらの組み合わせからなる群から選ばれるホトクロミック化合物をさらに含むことを特徴とする請求項６、請求項７、請求項８または請求項９に記載の眼科用レンズ。
【請求項１１】
触媒量の酸、溶媒および３オングストローム分子篩の存在下でプロパルギルアルコールをナフトールとカップリングさせてナフトピラン化合物を生成する工程を含むナフトピラン化合物の製造方法。
【発明の詳細な説明】
【技術分野】
【０００１】
本発明は、ホトクロミックナフトピラン化合物に関する。さらに詳しくは、本発明はホトクロミックビス−ナフトピラン化合物並びにその製造方法および用途に関する。
【背景技術】
【０００２】
太陽光により可逆的に色の変化や減光（darkening）が誘発されることが望まれる用途に用いられるホトクロミック化合物にはいくつかのタイプが知られている。これらの用途としては例えば眼科用レンズ、太陽光遮光レンズ、フィルター、カメラの光学系、装飾物品、ウインドウ等が挙げられる。
【発明の開示】
【発明が解決しようとする課題】
【０００３】
しかし、既知の化合物は高い光学濃度と活性化光源が取り除かれたときに迅速に元の色に復帰する能力の双方を同時に示すことがないという欠点がある。従って、紫外線（ＵＶ）照射に対する反応が速く、着色能力が高く、耐用年数が長い新しい化合物に対する需要がある。
【発明を実施するための最良の形態】
【０００４】
本発明は紫外光源により活性化されると広範囲の色、すなわち桃色から紫色ないし青灰色を示し、照射が止まると、元の色が復帰するビス−ナフトピラン化合物を提供する。本発明のビス−ナフト化合物は着色能力が広範囲であり、着色応答が速く、かつ疲労耐性が良好である。
【０００５】
一態様では、本発明は下記の化合物を提供する。
【０００６】
【化１】
2005508897.tif 000003
式中、Ｘはイオウまたは酸素であり；
Ｒ’、Ｒ’’は、同一であっても異なっていてもよく、それぞれ独立に水素、ヒドロキシ、ハロゲン、ニトロ、シアノ、アリル、直鎖状または分岐状（Ｃ1 −Ｃ20）アルキル、（Ｃ3 −Ｃ20）シクロアルキル、（Ｃ1 −Ｃ20）アルコキシ、（Ｃ1 −Ｃ20）アルキルアセチレニル、フェニルアセチレニル、（Ｃ1 −Ｃ20）アルケニル、フェニルビニル、ハロ（Ｃ1 −Ｃ20）アルキル、ハロ（Ｃ3 −Ｃ20）シクロアルキル、ハロ（Ｃ1 −Ｃ20）アルコキシ、アリール、アリールオキシまたは任意に（Ｃ1 −Ｃ6 ）アルキルまたは（Ｃ1 −Ｃ6 ）アルコキシで置換されたヘテロアリール；アリールアルキルまたはヘテロアリールアルキル；任意に（Ｃ1 −Ｃ6 ）アルキルまたは（Ｃ1 −Ｃ6 ）アルコキシで置換された炭素数５または６の窒素含有ヘテロ環、−Ｎ（Ｒ1 ）Ｒ2 、ＣＯＮ（Ｒ1 ）Ｒ2 （ただし、（Ｒ1 およびＲ2 は、同一または異なっていてもよいが、それぞれ独立に水素、（Ｃ1 −Ｃ20）アルキル、（Ｃ3 −Ｃ20）シクロアルキル、および任意に置換されているフェニルである）；−ＯＣＯＲ、−ＣＯＯＲまたは−ＣＯＲ（ただし、Ｒは水素、（Ｃ1 −Ｃ20）アルキル、（Ｃ3 −Ｃ20）シクロアルキル、または任意に（Ｃ1 −Ｃ6 ）アルキルまたは（Ｃ1 −Ｃ6 ）アルコキシで置換されたアリールもしくはヘテロアリールであり；
Ａ’およびＡ’’は、同一であっても異なっていてもよく、それぞれ独立に
（ａ）直鎖状もしくは分岐状（Ｃ1 −Ｃ12）アルキル、（Ｃ3 −Ｃ12）シクロアルキル、アリール（Ｃ1 −Ｃ6 ）アルキルまたはヘテロアリール（Ｃ1 −Ｃ6 ）アルキル、（Ｃ1 −Ｃ6 ）アルコキシ（Ｃ1 −Ｃ6 ）アルキル、（Ｃ1 −Ｃ12）アルコキシ、ハロ（Ｃ1 −Ｃ12）アルキル、（Ｃ1 −Ｃ12）ハロアルコキシ、（Ｃ1 −Ｃ12）アルキルチオ；
（ｂ）置換または未置換アリール基；
（ｃ）置換または未置換ヘテロアリール基；
（ｄ）下記式の基
【化２】
2005508897.tif 000004
式中、Ｂは水素、（Ｃ1 −Ｃ12）アルキル、または任意に置換されたアリール；
（ｅ）未置換またはモノ−置換ピラゾリル、ピリジル、イミダゾリル、ピラゾリニル、イミダゾリニルまたはアクリジニルを表し、該置換基は（Ｃ1 −Ｃ6 ）アルキル、（Ｃ1 −Ｃ6 ）アルコキシ、フルオロ、クロロ、およびフェニルからなる群から選ばれる；
（ｆ）下記式の基
【化３】
2005508897.tif 000005
式中、ＣおよびＤは、同一でも異なっていてもよいが、それぞれ独立に炭素、酸素、（Ｃ1 −Ｃ12）アルキル窒素、または（Ｃ1 −Ｃ12）アシル窒素を表し；
Ｒ3 およびＲ4 はそれぞれ水素または（Ｃ1 −Ｃ12）アルキルであり；
前記フェニル部分は任意に（Ｃ1 −Ｃ12）アルキル、（Ｃ1 −Ｃ12）アルコキシ、フルオロまたはクロロで置換されていてもよく、
ｎは１〜８の整数であり、かつ
ｍは０〜３の整数である。
【０００７】
「炭素数５または６の窒素含有ヘテロ環」としては、限定されないが、ピロリジノ、ピペリジノ、モルホリノ等が挙げられる。「ハロゲン」または「ハロ」はフルオロ、クロロ、ブロモ、またはヨードを意味する。好ましくは、フルオロ、クロロまたはブロモが用いられる。「アリール」としては、限定されないが、フェニルまたはナフチルが挙げられる。「ヘテロアリール」は、限定されないが、フリル、チエニル、ピリル、インドリル、ベンゾフリル、ベンゾチエニル、ピリジル、ジベンゾフリル、ジベンゾチエニル、およびカルバゾリルが挙げられる。
【０００８】
「置換アリールまたはヘテロアリール基」は、限定されないが、下記の置換基：
ハロゲン、ニトロ、アミノ、シアノ、ヒドロキシ、エポキシ、ビニル、アリル、ヒドロキシエトキシ、メトキシエトキシエトキシ、ヒドロキシエトキシエトキシ、メトキシエトキシエトキシ；
（Ｃ1 −Ｃ12）アルキル、（Ｃ1 −Ｃ12）アルコキシ、（Ｃ1 −Ｃ12）アルキルアリール、アリール、アリールオキシ、アリール（Ｃ1 −Ｃ12）アルキル、アリール（Ｃ1 −Ｃ12）アルコキシ、（Ｃ1 −Ｃ12）アルコキシアリール、ハロ（Ｃ1 −Ｃ12）アルキル、ハロアリール、シクロ（Ｃ3 −Ｃ12）アルキル、シクロ（Ｃ1 −Ｃ12）アルコキシ、アリールオキシアリール、アリールオキシ（Ｃ1 −Ｃ12）アルキル、アリールオキシ（Ｃ1 −Ｃ12）アルコキシ、アクリロキシ、メタクリロキシ；ヘテロ環窒素含有置換基、例えばＮ−（Ｃ1 −Ｃ12）アルキルピペラジノ、Ｎ−アリール−ピペリジノ、アクリジノ、インドリノ、ピロリジノ、ピロリノ、ピペリジノ、（Ｃ1 −Ｃ4 ）アルキルピペリジノ、ジ（Ｃ1 −Ｃ4 ）アルキルピペリジノ、４−ピペリジノピペリジノ、モルホリノ、２，６−ジ（Ｃ1 −Ｃ4 ）アルキルモルホリノ、チオモルホリノ、チオアゾリジノ、テトラヒドロキノリノまたはピリル；−Ｎ（Ｒ1 ）Ｒ2 、ＣＯＮ（Ｒ1 ）Ｒ2 、ここに、Ｒ1 およびＲ2 は、同一であっても異なっていてもよく、それぞれ独立に水素、（Ｃ1 −Ｃ12）アルキル、（Ｃ3 −Ｃ12）シクロアルキル、フェニル、モノ−もしくはジ−置換フェニル；または−ＯＣＯＲ、−ＣＯＯＲもしくは−ＣＯＲ、ここに、Ｒは水素、（Ｃ1 −Ｃ12）アルキル、（Ｃ3 −Ｃ12）シクロアルキル、ハロ（Ｃ3 −Ｃ12）アルキル、未置換、モノ−もしくはジ−置換フェニル、未置換、モノ−もしくはジ−置換ナフチル、未置換、モノ−もしくはジ−置換フリルまたはチエニル、およびこれらの組み合わせである。
【０００９】
好適な一態様では、本発明は式Ｉの化合物を提供する。ここに、
Ｘはイオウまたは酸素であり；
Ｒ’、Ｒ’’は、同一であっても異なっていてもよく、それぞれ水素、ニトロ、シアノ、アリル、フルオロ、クロロ、ブロモ、トリフルオロメチル、トリクロロメチル、ピロリジノ、ピペリジノ、モルホリノ、フェニル、ベンジル；直鎖状もしくは分岐状（Ｃ1 −Ｃ6 ）アルキル、（Ｃ1 −Ｃ6 ）アルコキシ、または−ＯＣＯＲもしくは−ＣＯＯＲであり、ここにＲは水素、（Ｃ1 −Ｃ6 ）アルキル、（Ｃ3 −Ｃ6 ）シクロアルキルであり；
Ａ’およびＡ’’は、同一であっても異なっていてもよく、それぞれ独立に
（ａ）直鎖状もしくは分岐状（Ｃ1 −Ｃ6 ）アルキル、（Ｃ3 −Ｃ6 ）シクロアルキル、アリール（Ｃ1 −Ｃ4 ）アルキルまたはヘテロアリール（Ｃ1 −Ｃ4 ）アルキル、（Ｃ1 −Ｃ6 ）アルコキシ（Ｃ1 −Ｃ6 ）アルキル；
（ｂ）フェニルまたはナフチルから選ばれる、未置換、好ましくはメタ位、パラ位またはその両方において置換されているモノ−もしくはジ−置換アリール；
（ｃ）フリル、チエニル、ピリル、インドリル、ベンゾフリル、ベンゾチエニル、ピリジル、ジベンゾフリル、ジベンゾチエニルまたはカルバゾリルであり、その置換基がニトロ、アミノ、シアノ、ヒドロキシ、エポキシ、ヒドロキシエトキシ、メトキシエトキシ、ヒドロキシエトキシエトキシ、メトキシエトキシエトキシ、フルオロ、クロロ、ブロモ、ヨード、ビニル、アリル、トリフルオロメチル、フェニル、（Ｃ1 −Ｃ6 ）アルキル、（Ｃ1 −Ｃ6 ）アルコキシ、シクロ（Ｃ3 −Ｃ6 ）アルキル、シクロ（Ｃ1 −Ｃ6 ）アルコキシ、（Ｃ1 −Ｃ6 ）アルキルアミノ、ジ（Ｃ1 −Ｃ6 ）アルキルアミノ、ジアリールアミノ、フェニルアセチレニルまたはフェニルビニルである未置換もしくはモノ−置換ヘテロアリール；
Ｎ（Ｃ1 −Ｃ6 ）アルキルピペラジノ、Ｎ−アリール−ピペリジノ、アジリジノ、インドリノ、ピロリジノ、ピロリノ、ピペリジノ、（Ｃ1 −Ｃ4 ）アルキルピペリジノ、ジ（Ｃ1 −Ｃ4 ）アルキルピペリジノ、４−ピペリジノピペリジノ、モルホリノ、２，６−ジ（Ｃ1 −Ｃ4 ）アルキルモルホリノ、チオモルホリノ、チオアゾリジノ、テトラヒドロキノリノまたはピリル；
−Ｎ（Ｒ1 ）Ｒ2 、ＣＯＮ（Ｒ1 ）Ｒ2 、ここに、Ｒ1 およびＲ2 は、同一であっても異なっていてもよく、それぞれ独立に水素、（Ｃ1 −Ｃ6 ）アルキル、（Ｃ3 −Ｃ6 ）シクロアルキル、フェニル、または−ＣＯＲ、−ＯＣＯＲ、もしくは−ＣＯＯＲ、ここに、Ｒは水素、（Ｃ1 −Ｃ6 ）アルキル、（Ｃ3 −Ｃ6 ）シクロアルキルまたはフェニルであり；
ｎは１〜６の整数であり、かつ
ｍは０〜２の整数である。
【００１０】
さらに別の好適な一態様では、本発明は式Ｉの化合物を提供する。ここに、
Ｘはイオウであり、
Ｒ’、Ｒ’’は、同一であっても異なっていてもよく、それぞれ独立に水素、ニトロ、シアノ、アリル、フルオロ、クロロ、ブロモ、ピロリジノ、ピペリジノ、モルホリノ、フェニル、ベンジル、（Ｃ1 −Ｃ4 ）アルキルまたは（Ｃ1 −Ｃ4 ）アルコキシであり；
Ａ’およびＡ’’は、同一であっても異なっていてもよく、それぞれ独立に
直鎖状もしくは分岐状（Ｃ1 −Ｃ4 ）アルキル、（Ｃ3 −Ｃ6 ）シクロアルキル；
未置換、モノ−もしくはジ−置換フェニル、置換基は、好ましくはメタ位、パラ位、もしくはその両方においてニトロ、アミノ、アシル、シアノ、メトキシ、エトキシ、メトキシエトキシ、フルオロ、クロロ、ビニル、アリル、メトキシカルボニル、エトキシカルボニル、（Ｃ1 −Ｃ4 ）アルキル、ジ（Ｃ1 −Ｃ4 ）アルキルアミノ、ピペラジノ、ピペリジノ、アリールピペリジノ、モルホリノ、ピロリジノ、アジリジノ、アクリロキシ、メタクリロキシ、フェニルアセチレニル、フェニルビニル；
未置換、もしくは（Ｃ1 −Ｃ4 ）アルキルまたはフェニルである置換基でモノ−置換されたフリル、チエニルもしくはピリルのようなモノ−置換ヘテロ芳香族基であり；
ｎは１〜４の整数であり、かつ
ｍは０〜２の整数である。
【００１１】
さらに別の好適な一態様では、本発明の化合物は、
５，５’−ビス［３−（ｐ−メトキシフェニル）−［３Ｈ］−ナフト［２，１−ｂ］ピラン−３−イル］−２，２’−ビチオフェン；
５，５’−ビス［３−（ｐ−メチルフェニル）−［３Ｈ］−ナフト［２，１−ｂ］ピラン−３−イル］−２，２’−ビチオフェン；
５，５’−ビス［３−（ｐ−フルオロフェニル）−［３Ｈ］−ナフト［２，１−ｂ］ピラン−３−イル］−２，２’−ビチオフェン；
５，５’−ビス［３−（ｏ−フルオロフェニル）−［３Ｈ］−ナフト［２，１−ｂ］ピラン−３−イル］−２，２’−ビチオフェン；
５，５’’’−ビス［３−（ナフタレン−２−イル）−［３Ｈ］−ナフト［２，１−ｂ］ピラン−３−イル］［２，２’，５’，２’’，５’’，２’’’］−クワテルチオフェン；または
５，５’’’−ビス［３−（ｏ−フルオロフェニル）−［３Ｈ］−ナフト［２，１−ｂ］ピラン−３−イル］［２，２’，５’，２’’，５’’，２’’’］−クワテルチオフェンである。
【００１２】
式Ｉの化合物は下記の反応Ａ〜Ｄに示す方法、あるいはまた、反応Ｅに示す方法により調製することができる。反応Ａでは、酸クロライドから相当する芳香族ケトンが形成され、この反応は下記のフリーデル−クラフツ反応であってもよい。
【００１３】
反応Ａ：
【化４】
2005508897.tif 000006
式ＩＩにより表される酸クロライドと式ＩＩＩで表されるヘテロ環化合物をジクロロメタンに溶解しルイス酸、例えば塩化第一スズの存在下で反応させて、式ＩＶで表される相当する置換芳香族ケトンを形成する。置換基Ａ、Ｒ’’、およびＸ並びにｎは上記と同じである。フリーデル−クラフツ反応および該反応を行う条件はオラー、ジョージ、エイ．、３「フリーデル−クラフツ反応および関連する反応」インターサイエンス・パブリシャーズ社（１９６４年）（Olah，George A.，３“Friedel-Crafts and Related Reactions，”Interscience Publishers（１９６４））に記載されている。
【００１４】
反応Ｂでは、適切な溶媒、例えば無水テトラヒドロフラン（ＴＨＦ）、ジメチルスルホキシド（ＤＭＳＯ）等の存在下に式ＩＶのヘテロ芳香族ケトンをナトリウムアセチリドと反応させて構造式Ｖにより表される相当するプロパルギルアルコールを形成する。
【００１５】
反応Ｂ：
【化５】
2005508897.tif 000007
反応は室温で１ｍｍｏｌ〜１００ｍｍｏｌのスケールで行うことができる。
【００１６】
反応Ｃでは、触媒量の酸、例えばｐ−トルエンスルホン酸ピリジニウム（ＰＰＴＳ）の存在下に、式Ｖのプロパルギルアルコールを式ＶＩにより表されるナフトールと反応させて構造式ＶＩＩにより表されるナフトピランを生成する。この反応およびそれを行う条件はヘルベティカ・キミカ・アクタ第８１巻（７）、１２９３（１９９８年）（Helv Chim. Acta、８１（７）、１２９３（１９９８）に記載されている。
【００１７】
反応式Ｃ：
【化６】
2005508897.tif 000008
あるいは、好ましくは、反応Ｃを３、オングストローム分子篩を用いて行ってもよい。この反応は非極性溶媒、好ましくはベンゼン、トルエン、キシレン、クロロホルム、１，１−ジクロロエタン、１，２−ジクロロエタン、四塩化炭素、あるいはそれらの組み合わせの存在下で行うことができる。さらに好ましくは、この反応はトルエンまたは１，２−ジクロロエタン中で行われる。反応温度は約５０℃〜約１６０℃、好ましくは約８０℃〜約１４０℃、さらに好ましくは約９０℃〜約１２０℃であってもよい。反応時間は約１時間〜約３日、好ましくは約２時間〜約２日、さらに好ましくは約２時間から約２４時間であってもよい。反応体の好ましい比率は１．１：１：０．５〜約１：１．１：０．０５（Ｖ：ＶＩ：ＰＰＴＳ）である。
【００１８】
反応Ｄでは、式ＶＩＩのナフトピランを、適切な溶媒、例えば無水ＴＨＦ中でブチルリチウムで処理し、次いで塩化第二銅で処理し、式Ｉで表されるモノ−カップリング体を生成する。
【００１９】
反応Ｄ：
【化７】
2005508897.tif 000009
反応は約−７８℃と周囲温度との間で約５時間〜約４８時間行うことができる。反応体は好ましくは約１：１．１：１．１〜約１：１．５：２（ＶＩＩ：ＢｕＬｉ：ＣｕＣｌ2 ）の比率で使用される。
【００２０】
あるいはまた、本発明のビス−ナフトピラン化合物は反応Ｅに示すように調製することができる。反応Ｅでは、式ＩＸのビス−ヘテロ芳香族ケトンを、式ＩＩＩのヘテロ環化合物のフリーデル−クラフツ反応により生成することができる。ナトリウムアセチリドで処理すると所望の式ＶＩのビス−プロパルギルアルコールを生成することができる。触媒量の酸、例えばｐ−トルエンスルホン酸ピリジニウム（ＰＰＴＳ）の存在下に式Ｘのビス−プロパルギルアルコールを式ＶＩのナフトールとカップリングさせると所望のビス−ナフトピラン化合物が生成する。
【００２１】
反応Ｅ：
【化８】
2005508897.tif 000010
本発明のビスナフトピラン化合物は単独で使用してもよく、あるいは式Ｉの他の化合物との混合物として使用してもよい。さらに、本発明の化合物は既知のホトクロミック化合物の他のタイプのものとの混合物として使用してもよい。このような既知のホトクロミック化合物としては、限定されないが、ナフトピラン、スピロオキサジン、１種以上の非ホトクロミック染料との混合物、あるいはそれらの組み合わせが挙げられる。さらに、１種以上の安定剤、例えば酸化防止剤、１種以上の紫外線吸収剤、例えば２−ヒドロキシフェニルベンゾトリアゾールまたは２−ヒドロキシフェニルトリアトリアゾン、１種以上の抗ラジカル剤、例えば５−エトキシベンゾイミダゾール、またはそれらの組み合わせをこれらの混合物に添加してホトクロミック性を向上させることができる。
【００２２】
本発明の化合物の一つの特別の利点は式Ｉの活性化されたビスナフトピラン化合物の着色体の吸収スペクトルが、典型的には式ＶＩＩの相当するホトクロミックナフトピランよりも光学濃度または吸収が高く耐用年数が長いことである。溶液中では、本発明の化合物は淡い桃色または黄色である。太陽光線や水銀ランプまたはキセノンランプのような紫外線源により活性化されると、本発明のビス−ナフトピラン化合物は化合物の構造によって桃色から紫色ないし青灰色の範囲で急速に強く着色する。式Ｉのビス−ナフトピラン化合物の紫外線に対する応答は反応Ｃに示した構造式ＶＩＩにより表されるナフトピランの応答よりもずっと速い。
【００２３】
ビス−ナフトピラン化合物の構造によって３秒〜３００秒の範囲の広範囲の退色が得られる。退色が遅い、すなわち１００秒よりも長いときは、式Ｉのビス−ナフトピラン化合物はビス−ナフトピラン環の２つのホトクロミック官能基が完全に開放されるために着色性が高い。ゆっくりと退色する化合物を得るためには、フルオロ置換基を３−フェニル基のオルト位に置く。退色がゆっくりしていると、限定されないが、ウインドウを始めとする若干の用途に好適である。
【００２４】
退色が速い、すなわち６０秒未満のときは、本発明のビス−ナフトピラン化合物は式ＶＩＩにより表される相当するホトクロミックナフトピランよりも光学濃度が高く、耐用年数も長い。３−フェニル基のオルト位を置換せず、かつ、任意に、パラ位を置換することによって速い退色が得られる。好適な置換基としては、限定されないが、フルオロ、メトキシ、メチル、エチル、フェニル、ピペリジノ、またはモルホリノが挙げられる。速い退色は、限定されないが、眼鏡レンズを始めとする広範囲の設定において有用である。
【００２５】
本発明のビス−ナフトピラン化合物は、単独で、それら同士の混合物としてまたは他のタイプの既知のホトクロミック化合物との混合物としてホスト材料に適用または導入することができる組成物中に導入することができる。これらの組成物としては、インクや塗料が挙げられる。ホトクロミックビス−ナフトピラン化合物は有機溶媒または有機ポリマーホスト中に存在していてもよい。
【００２６】
溶媒を用いる場合は、この溶媒はホトクロミック物質を溶解する能力を有する任意の溶媒が挙げられる。好適な溶媒としては、限定されないが、ベンゼン、トルエン、メチルエチルケトン、アセトン、エタノール、メタノール、プロパノール、イソプロパノール、テトラヒドロフラン、ジオキサン、酢酸エチル、エチレングリコール、キシレン、シクロヘキサン、Ｎ−メチルピロリジノン等、およびこれらの混合物が挙げられる。クロロホルムに溶解すると、本発明の化合物はモル吸光係数（ε）がずっと大きくなり、そのため、式ＶＩＩにより表される相当するナフトピラン前駆体よりも紫外線をより多く遮断することができる。
【００２７】
本発明の化合物とともに用いられるホスト材料はホトクロミック特性を発揮させるのが望ましい任意の材料であることができる。典型的には、ホスト材料は有機材料であり、好ましくは透明、すなわち光学的に澄んだ有機材料である。そのような材料としては、限定されないが、ポリマー、コポリマー、またはそれらの混合物が挙げられる。好適なホスト材料としては、限定されないが、ポリ（アリルカーボネート）、ポリエポキシ、ポリアクリレート、ポリエチレン、ポリプロピレン、ポリビニルクロライド、ポリメタクリレート、ポリ（Ｃ1 −Ｃ12）アルキルメタクリレート、ポリオキシアルキレンメタクリレート、セルロースアセテート、ポリ（ビニルアセテート）、ポリ（ビニルアルコール）、ポリウレタン、ポリチオウレタン、ポリシロキサン、ポリアミド、ポリスチレンが挙げられ、コポリマーとしては、限定されないが、アクリレート、メタクリレート、メチルメタクリレート、エチレングリコールビスメタクリレート、ビニルアセテート、ビニルブチラール、ウレタン、チオウレタン、ジエチレングリコールビス（アリルカーボネート）、ジエチレングリコールジメタクリレート、ジイソプロペニルベンゼン等およびそれらの組み合わせが挙げられる。
【００２８】
典型的には、本発明の化合物は、限定されないが、溶解、分散、ホスト材料の他の成分との重合、有機ホスト材料の一表面に適用されるコーティングへの導入またはそれらの組み合わせを始めとする任意の都合のよい手段によりホスト材料に導入される。あるいはまた、化合物をホスト材料の表面に吸収してもよい。さらにまた、化合物を種々の手段、例えばスプレイコーティング、スピンコーティング、スプレッドコーティング、カーテンコーティング、ケーシングまたはディップコーティングを用いてホスト材料上に塗布してもよい。
【００２９】
本発明のビス−ナフトピラン化合物およびそれらの混合物は有機ホトクロミック物質が典型的に用いられる用途、例えば光学レンズおよび平レンズ、遮光保護面（フェイス・シールド）、ゴーグル、カメラレンズ、ウインドウ、自動車用透明製品、インク、例えばホトクロミック染料を含有する、書いたり印刷したりするための液体またはペースト、プラスチックフィルム、シート、繊維のような装飾物品、および塗料、例えば、ペンキ、およびパスポート、運転免許証、小切手等の文書上の証明マーク等に用いることができる。塗料は、ここでは、合成ポリマーを製造するのに用いられるポリメタクリレート、ポリウレタン、ポリエポキシ樹脂のような材料から調製されたポリマー性塗料を含むものとして定義されている。
【００３０】
本発明のビス−ナフトピラン化合物の使用量は、活性化された際に肉眼で感知し得る限り、どの程度の減光が望まれるかによって決まる。さらに、個々の使用量はホトクロミック物質を導入または適用するのに用いた方法によって決まることが多い。典型的には、ホトクロミック物質の適用または導入量が多いほどある上限まで色強度が大きくなる。特に、製品である対象の全重量に基づいて約０．００１重量％〜約２０重量％の量で使用される。
【００３１】
本発明は以下の実施例により説明するが、これらの実施例は本発明の範囲を何ら限定するものではない。種々の変更および変形は当業者には明らかであろう。
【実施例１】
【００３２】
工程１
塩化スズ（ＩＶ）をメチレンクロライド（１００ｍｌ）に入れたものを窒素下に攪拌しつつ、チオフェン（６．５ｇ、７７ｍｍｏｌ）とｐ−メトキシベンゾイルクロライド（１３．６ｇ、７９．８ｍｍｏｌ）をメチレンクロライド（５０ｍｌ）に溶解した氷冷溶液を滴下した。添加後、反応混合物をさらに１０分間攪拌した後、室温で２．５時間攪拌し、砕いた氷（２００ｇ）の上に注いだ。有機層を分離し、水性層をメチレンクロライド（１５ｍｌ）で抽出した。結合した有機溶液を濃縮して溶媒の大部分を除去した。残滓をシリカゲルの栓を通してろ過し、メチレンクロライドで洗浄した。溶媒を除去すると、褐色の油が残り、放置すると固化した。メチレンクロライド／ヘキサンから再結晶すると、無色の結晶が得られた。原液を活性炭で脱色し、メチレンクロライド／ヘキサンから再結晶すると、より多くの結晶が得られた。全１６．４８ｇの生成物が得られた（９８％）。核磁気共鳴（ＮＭＲ）スペクトルから、得られた生成物はｐ−メトキシフェニル−チオフェン−２−イル−ケトンと一致する構造を有することが判った。
【００３３】
工程２
ＤＭＳＯ（２５ｍｌ）に懸濁したナトリウムアセチリド（１．３７ｇ、３３．５ｍｍｏｌ）をｐ−メトキシフェニル−チオフェン−２−イルケトン（４．８ｇ、２２ｍｍｏｌ）に水浴で冷却下、攪拌しつつ、アセチレンガスを吹き込みながら、少しずつ添加した。添加後、反応混合物を室温で２時間攪拌し、砕いた氷の上に注ぎ、４Ｍ塩酸でｐＨがほぼ６になるまで酸性化した。メチレンクロライド（２０ｍｌ、次いで２×１０ｍｌ）で抽出し、混合物を無水硫酸ナトリウムで乾燥し、ろ過した。溶媒を蒸発させると、油が得られた。これを中性アルミナ（活性ＩＩＩ）上で、ヘキサン／メチレンクロライド（２：１）を溶離液として用いたフラッシュクロマトグラフィーにより精製した。少量の活性炭で脱色した後、溶媒を除去すると、比較的澄んだ１−（４−メトキシフェニル）−１−（チオフェン−２−イル）プロプ−２−イン−１−オールが黄褐色の油として得られた。
【００３４】
工程３
工程２からの１−（４−メトキシフェニル）−１−（チオフェン−２−イル）プロプ−２−イン−１−オール（２５７ｍｇ、１．０５ｍｍｏｌ）を２−ナフトール（１４４．２ｍｇ、１ｍｍｏｌ）とともに、ＰＰＴＳ（０．０５ｍｍｏｌ）および無水１，２−ジクロロエタン（５ｍｌ）中の３オングストローム分子篩の存在下に２時間加熱した。溶媒は大部分真空下に除去し、残滓をメチレンクロライドで洗浄した短いシリカゲルカラムを通してろ過した。溶媒を除去し、メチレンクロライド／ヘキサンから再結晶して無色の固体を得た（３４０ｍｇ）。ＮＭＲから得られた生成物は３−ｐ−メトキシフェニル−３−（チオフェン−２−イル）−［３Ｈ］−ナフト［２，１−ｂ］ピランと一致する構造を持つことが判った。これを以下に記載する比較例１として用いた。
【００３５】
工程４
工程３からの３−ｐ−メトキシフェニル−３−（チオフェン−２−イル）−［３Ｈ］−ナフト［２，１−ｂ］ピラン（１７５ｍｇ、０．５ｍｍｏｌ）を乾燥ＴＨＦ（４ｍｌ）に入れたものをドライアイス−アセトン浴中、窒素下に冷却した。ブチルリチウム（１．６Ｍ、０．５ｍｌ）を攪拌しつつ滴下した。この混合物を０．５時間攪拌し、無水塩化第二銅（２２０ｍｇ、１．６３ｍｍｏｌ）を一度に添加した。２時間攪拌を続け、次いで徐々に室温まで昇温し、一晩攪拌した。砕いた氷（１０ｇ）を反応混合物に添加した。４Ｍ塩酸でｐＨがほぼ１になるまで酸性化した後、混合物をメチレンクロライド（２５ｍｌ、次いで２×１０ｍｌ）で抽出した。結合した有機溶液を無水硫酸ナトリウムで乾燥した。メチレンクロライドに固形物が懸濁していた場合は、加熱を用いて固形物を溶解し、室温に冷却し、次いで乾燥する。引き続き、ろ過し、メチレンクロライド洗浄した短いシリカゲルカラムを通した。全体積がほぼ５ｍｌになるまでメチレンクロライドを除去した後、混合物を加熱還流し、冷却し、室温で放置した。得られた固形物をろ過し、小量のメチレンクロライドで洗浄した。固形物を集め、ヘキサン／メチレン（１：１）を用いてシリカゲル上でのクロマトグラフィーにより精製し、メチレンクロライド／ヘキサンから再結晶した。１２１ｍｇの桃色の固形物が得られた。ＮＭＲスペクトルから、生成物は５，５’−ビス［３−（ｐ−メトキシフェニル）−［３Ｈ］−ナフト［２，１−ｂ］ピラン−３−イル］−２，２’−ビチオフェンと一致する構造を持つことが判った。
【実施例２】
【００３６】
工程１
フェニル基の置換基がメトキシの代わりにメチルである以外は実施例１の工程１〜工程３の方法に従った。ＮＭＲから、得られた生成物は３−ｐ−メチルフェニル−３−（チオフェン−２−イル）−［３Ｈ］−ナフト［２，１−ｂ］ピランと一致する構造を持つことが判った。
これを下記の比較例２として用いた。
【００３７】
工程２
３−ｐ−メトキシフェニル−３−（チオフェン−２−イル）−［３］ナフト［２，１−ｂ］の代わりに工程３からの３−ｐ−メチルフェニル−３−（チオフェン−２−イル）−［３Ｈ］−ナフト［２，１−ｂ］ピラン（１７７ｍｇ、０．５ｍｍｏｌ）を用いた以外は実施例１の工程４の方法に従った。桃色の固形物（１３６ｍｇ）を得た。ＮＭＲスペクトルから、生成物は５，５’−ビス［３−（ｐ−メチルフェニル）−［３Ｈ］−ナフト［２，１−ｂ］ピラン−３−イル］−２，２’−ビチオフェンと一致する構造を持つことが判った。
【実施例３】
【００３８】
工程１
フェニル基の置換基が４−メトキシの代わりに４−フルオロであること以外は実施例１の工程１〜工程３の方法に従った。ＮＭＲから、得られた生成物は３−ｐ−フルオロフェニル−３−（チオフェン−２−イル）−［３Ｈ］−ナフト［２，１−ｂ］ピランと一致する構造を持つことが判った。
これを下記の比較例３として用いた。
【００３９】
工程２
３−ｐ−メチルフェニル−３−（チオフェン−２−イル）−［３Ｈ］−ナフト［２，１−ｂ］ピランの代わりに、３−ｐ−フルオロフェニル−３−（チオフェン−２−イル）−［３Ｈ］−ナフト［２，１−ｂ］（１８０ｍｇ、０．５ｍｍｏｌ）を用いたこと以外は実施例１の工程４の方法に従った。ＮＭＲスペクトルから、生成物は５，５’−ビス［３−（ｐ−フルオロフェニル）−［３Ｈ］−ナフト［２，１−ｂ］ピラン−３−イル］−２，２’−ビチオフェンと一致する構造を持つことが判った。
【実施例４】
【００４０】
工程１
フェニル基の置換基が４−メトキシの代わりに２−フルオロであること以外は実施例１の工程１〜工程３の方法に従った。ＮＭＲから、得られた生成物は３−ｏ−フルオロフェニル−３−（チオフェン−２−イル）−［３Ｈ］−ナフト［２，１−ｂ］ピランと一致する構造を持つことが判った。
これを下記の比較例４として用いた。
【００４１】
工程２
３−ｐ−メチルフェニル−３−（チオフェン−２−イル）−［３Ｈ］−ナフト［２，１−ｂ］ピランの代わりに、工程３からの３−ｏ−フルオロフェニル−３−（チオフェン−２−イル）−［３Ｈ］−ナフト［２，１−ｂ］（１８０ｍｇ、０．５ｍｍｏｌ）を用いたこと以外は実施例１の工程４の方法に従った。ＮＭＲスペクトルから、生成物は５，５’−ビス［３−（o−フルオロフェニル）−［３Ｈ］−ナフト［２，１−ｂ］ピラン−３−イル］−２，２’−ビチオフェンと一致する構造を持つことが判った。
【実施例５】
【００４２】
工程１
塩化スズ（ＩＶ）をメチレンクロライド（１００ｍｌ）に入れたものを窒素下に攪拌しつつ、ビチオフェン（２ｇ、１２ｍｍｏｌ）とｐ−メトキシベンゾイルクロライド（２．７２ｇ、１６ｍｍｏｌ）をメチレンクロライド（２５ｍｌ）に溶解した氷冷溶液を滴下した。添加後、反応混合物をさらに１０分間攪拌した後、室温で２時間攪拌し、砕いた氷（１００ｇ）の上に注いだ。有機層を分離し、水性層をメチレンクロライド（１５ｍｌ）で抽出した。結合した有機溶液を濃縮して溶媒の大部分を除去した。残滓をシリカゲルの栓を通してろ過し、メチレンクロライド／酢酸エチル（１０：１）で洗浄した。溶媒を除去すると、油が残り、放置すると固化した。メチレンクロライド／ヘキサンから再結晶すると、黄緑色の結晶（４．０６ｇ）が生成した。核磁気共鳴（ＮＭＲ）スペクトルから、得られた生成物は（２，２’−ビチオフェン−５−イル）−ｐ−メトキシフェニル−ケトンと一致する構造を有することが判った。
【００４３】
工程２
ｐ−メトキシフェニル−チオフェン−２−イル−ケトンの代わりに（２，２’−ビチオフェン−５−イル）−ｐ−メトキシフェニル−ケトンを用いた以外は実施例１の工程２の方法に従った。黄褐色の油が得られた。核磁気共鳴（ＮＭＲ）スペクトルから、得られた生成物は１−（２，２’−ビチオフェン−５−イル）−１−（１−メトキシフェニル）プロプ−２−イン−１−オールと一致する構造を揺することが判った。
【００４４】
工程３
１−（４−メトキシフェニル）−１−（チオフェン−２−イル）プロプ−２−イン−１−オールの代わりに１−（２，２’−ビチオフェン−５−イル）−１−（１−メトキシフェニル）プロプ−２−イン−１−オールを用いた以外は実施例１の工程３の方法に従った。淡い紫色の固形物が得られた。ＮＭＲスペクトルから、生成物は３−（２，２’−ビチオフェン−５−イル）−３−（ｐ−メトキシフェニル）−［３Ｈ］−ナフト［２，１−ｂ］ピランと一致する構造を有することが判った。
これを下記の比較例５として用いた。
【００４５】
工程４
３−ｐ−メトキシフェニル−３−（チオフェン−２−イル）−［３Ｈ］−ナフト［２，１−ｂ］ピランの代わりに３−（２，２’−ビチオフェン−５−イル）−３−（ｐ−メトキシフェニル）−［３Ｈ］−ナフト［２，１−ｂ］ピラン（２３０ｍｇ、０．５１ｍｍｏｌ）を用いた以外は実施例１の工程４の方法に従った。黄緑色の固形物（１９１．６ｍｇ）が得られた。ＮＭＲスペクトルから、得られた生成物は５，５’’’−ビス［３−（ｐ−メトキシフェニル）−［３Ｈ］−ナフト［２，１−ｂ］ピラン−３−イル］−［２，２’，５’，２’’，５’’，２’’’］−クワテルチオフェンと一致する構造を有することが判った。
【実施例６】
【００４６】
工程１
ｐ−メトキシベンゾイルクロライドの代わりに２−ナフトイルクロライド（３．０５ｇ、１６ｍｍｏｌ）を用いた以外は実施例５の工程１の方法に従った。黄色の固形物（３．１８ｇ）が得られた。ＮＭＲから、得られた生成物は（２，２’−ビチオフェン−５−イル）−（ナフタレン−２−イル）ケトンと一致する構造を有することが判った。
【００４７】
工程２
ｐ−メトキシフェニル−（チオフェン−２−イル）−ケトンの代わりに（２，２’−ビチオフェン−５−イル）−（ナフタレン−２−イル）ケトンを用いた以外は実施例１の工程２の方法に従った。黄褐色の油が得られた。ＮＭＲから、得られた生成物は１−（２，２’−ビチオフェン−５−イル）−１−（ナフタレン−２−イル）プロプ−２−イン−１−オールと一致する構造を有することが判った。
【００４８】
工程３
１−（４−メトキシフェニル）−１−（チオフェン−２−イル）プロプ−２−イン−１−オールの代わりに１−（２，２’−ビチオフェン−５−イル）−１−（ナフタレン−２−イル）プロプ−２−イン−１−オールを用いた以外は実施例１の工程３の方法に従った。黄橙色の固形物が得られた。ＮＭＲスペクトルから、生成物は３−（２，２’−ビチオフェン−５−イル）−３−（ナフタレン−２−イル）−［３Ｈ］−ナフト［２，１−ｂ］ピランと一致する構造を有することが判った。
【００４９】
工程４
３−ｐ−メトキシフェニル−３−（チオフェン−２−イル）−［３Ｈ］−ナフト［２，１−ｂ］ピランの代わりに３−（２，２’−ビチオフェン−５−イル）−３−（ナフタレン−２−イル）−［３Ｈ］−ナフト［２，１−ｂ］ピランを用いた以外は実施例１の工程４の方法に従った。黄緑色の固形物（２０８ｍｇ）が得られた。ＮＭＲスペクトルから、得られた生成物は５，５’’’−ビス［３−（ナフタレン−２−イル）−［３Ｈ］−ナフト［２，１−ｂ］ピラン−３−イル］−［２，２’，５’，２’’，５’’，２’’’］−クワテルチオフェンと一致する構造を有することが判った。
【００５０】
ホトクロミック特性の分析
実施例１〜実施例６のナフトピラン化合物をクロロホルム（５．０×１０-5ｍｏｌ／ｌ）に溶解し、次いで３６６ｎｍの紫外線に４分間暴露した。紫外スペクトルをバリアン・ケアリ（Varian Cary）５０分光計で記録した。モル吸光係数（ε）、吸収極大（λｍａｘ）を表１に示す。
【００５１】
ホトクロームの溶液を紫外線（３６６ｎｍ、３Ｗ  ＵＶランプから）に暴露することにより疲労試験を行い、１時間間隔で光学濃度の変化を追跡した。試験に先立ってホトクロームの溶液を紫外線で１時間活性化した。飽和光学濃度（飽和時ΔＯＤ）を紫外線（３６６ｎｍ）に１５０秒照射することにより得た。
【００５２】
【表１】
2005508897.tif 000011
表１の結果から、化合物Ｉは化合物ＶＩＩよりもモル吸光係数が高いので、より多くの紫外光を遮断することが判る。
【００５３】
【表２】
2005508897.tif 000012
表２の結果から、化合物Ｉは化合物ＶＩＩよりも減光が多く、耐用年数も長いことが判る。
【手続補正書】
【提出日】平成16年6月14日(2004.6.14)
【手続補正１】
【補正対象書類名】特許請求の範囲
【補正対象項目名】全文
【補正方法】変更
【補正の内容】
【特許請求の範囲】
【請求項１】
次式の化合物
【化１】
2005508897.tif 000019
式中、Xはイオウまたは酸素であり；
Ｒ’、Ｒ’’は、同一であっても異なっていてもよく、それぞれ独立に水素、ヒドロキシ、ハロゲン、ニトロ、シアノ、アリル、直鎖状または分岐状（Ｃ1 −Ｃ20）アルキル、（Ｃ3 −Ｃ20）シクロアルキル、（Ｃ1 −Ｃ20）アルコキシ、（Ｃ1 −Ｃ20）アルキルアセチレニル、フェニルアセチレニル、（Ｃ1 −Ｃ20）アルケニル、フェニルビニル、ハロ（Ｃ1 −Ｃ20）アルキル、ハロ（Ｃ3 −Ｃ20）シクロアルキル、ハロ（Ｃ1 −Ｃ20）アルコキシ、任意に（Ｃ1 −Ｃ6 ）アルキルまたは（Ｃ1 −Ｃ6 ）アルコキシで置換されたアリール、アリールオキシもしくはヘテロアリール；アリールアルキルまたはヘテロアリールアルキル；任意に（Ｃ1 −Ｃ6 ）アルキルまたは（Ｃ1 −Ｃ6 ）アルコキシで置換された炭素数５または６の窒素含有ヘテロ環、−Ｎ（Ｒ1 ）Ｒ2 、ＣＯＮ（Ｒ1 ）Ｒ2 （ただし、（Ｒ1 およびＲ2 は、同一または異なっていてもよいが、それぞれ独立に水素、（Ｃ1 −Ｃ20）アルキル、（Ｃ3 −Ｃ20）シクロアルキル、および任意に置換されているフェニルである）；−ＯＣＯＲ、−ＣＯＯＲまたは−ＣＯＲ（ただし、Ｒは水素、（Ｃ1 −Ｃ20）アルキル、（Ｃ3 −Ｃ20）シクロアルキル、または任意に（Ｃ1 −Ｃ6 ）アルキルまたは（Ｃ1 −Ｃ6 ）アルコキシで置換されたアリールもしくはヘテロアリールであり；
Ａ’およびＡ’’は、同一であっても異なっていてもよく、それぞれ独立に
直鎖状もしくは分岐状（Ｃ1 −Ｃ12）アルキル、（Ｃ3 −Ｃ12）シクロアルキル、アリール（Ｃ1 −Ｃ6 ）アルキルまたはヘテロアリール（Ｃ1 −Ｃ6 ）アルキル、（Ｃ1 −Ｃ6 ）アルコキシ（Ｃ1 −Ｃ6 ）アルキル、（Ｃ1 −Ｃ12）アルコキシ、ハロ（Ｃ1 −Ｃ12）アルキル、（Ｃ1 −Ｃ12）ハロアルコキシ、（Ｃ1 −Ｃ12）アルキルチオ；
任意に置換されたアリール基；
任意に置換されたヘテロアリール基；
下記式の基
【化２】
2005508897.tif 000020
式中、Ｂは水素、（Ｃ1 −Ｃ12）アルキル、または任意に置換されたアリール；
未置換またはモノ−置換ピラゾリル、ピリジル、イミダゾリル、ピラゾリニル、イミダゾリニルまたはアクリジニルを表し、該置換基は（Ｃ1 −Ｃ6 ）アルキル、（Ｃ1 −Ｃ6 ）アルコキシ、フルオロ、クロロ、およびフェニルからなる群から選ばれる；
（ｆ）下記式の基
【化３】
2005508897.tif 000021
式中、ＣおよびＤは、同一でも異なっていてもよいが、それぞれ独立に炭素、酸素、（Ｃ1 −Ｃ12）アルキル窒素、または（Ｃ1 −Ｃ12）アシル窒素を表し；
Ｒ３  およびＲ４  はそれぞれ水素または（Ｃ1 −Ｃ12）アルキルであり；
前記フェニル部分は任意に（Ｃ1 −Ｃ12）アルキル、（Ｃ1 −Ｃ12）アルコキシ、フルオロまたはクロロで置換されていてもよく、
ｎは１〜８の整数であり、かつ
ｍは０〜３の整数である
および
ナフトピラン、スピロオキサジン、１種以上の非ホトクロミック染料、またはそれらの組み合わせからなる群から選ばれるホトクロミック化合物
を含む組成物。
【請求項２】
Ｘはイオウまたは酸素であり；
Ｒ’、Ｒ’’は、同一であっても異なっていてもよく、それぞれ水素、ニトロ、シアノ、アリル、フルオロ、クロロ、ブロモ、トリフルオロメチル、トリクロロメチル、ピロリジノ、ピペリジノ、モルホリニル、フェニル、ベンジル；直鎖状もしくは分岐状（Ｃ1 −Ｃ6 ）アルキル、（Ｃ1 −Ｃ6 ）アルコキシ、または−ＯＣＯＲもしくは−ＣＯＯＲであり、ここにＲは水素、（Ｃ1 −Ｃ6 ）アルキル、（Ｃ3 −Ｃ6 ）シクロアルキルであり；
Ａ’およびＡ’’は、同一であっても異なっていてもよく、それぞれ独立に
直鎖状もしくは分岐状（Ｃ1 −Ｃ12）アルキル、（Ｃ3 −Ｃ6 ）シクロアルキル、アリール（Ｃ1 −Ｃ4 ）アルキルまたはヘテロアリール（Ｃ1 −Ｃ4 ）アルキル、（Ｃ1 −Ｃ6 ）アルコキシ（Ｃ1 −Ｃ6 ）アルキル；
フェニルまたはナフチルから選ばれる、未置換、モノ−もしくはジ−置換アリール；
フリル、チエニル、ピリル、インドリル、ベンゾフリル、ベンゾチエニル、ピリジル、ジベンゾフリル、ジベンゾチエニルまたはカルバゾリルであり、その置換基がニトロ、アミノ、シアノ、ヒドロキシ、エポキシ、ヒドロキシエトキシ、メトキシエトキシ、ヒドロキシエトキシエトキシ、メトキシエトキシエトキシ、フルオロ、クロロ、ブロモ、ヨード、ビニル、アリル、トリフルオロメチル、フェニル、（Ｃ1 −Ｃ6 ）アルキル、（Ｃ1 −Ｃ6 ）アルコキシ、シクロ（Ｃ3 −Ｃ6 ）アルキル、シクロ（Ｃ1 −Ｃ6 ）アルコキシ、（Ｃ1 −Ｃ6 ）アルキルアミノ、ジ（Ｃ1 −Ｃ6 ）アルキルアミノ、ジアリールアミノ、フェニルアセチレニルまたはフェニルビニルである未置換もしくはモノ−置換ヘテロアリール；
Ｎ（Ｃ1 −Ｃ6 ）アルキルピペラジノ、Ｎ−アリール−ピペリジノ、アジリジノ、インドリノ、ピロリジノ、ピロリノ、ピペリジノ、（Ｃ1 −Ｃ4 ）アルキルピペリジノ、ジ（Ｃ1 −Ｃ4 ）アルキルピペリジノ、４−ピペリジノピペリジノ、モルホリノ、２，６−ジ（Ｃ1 −Ｃ4 ）アルキルモルホリノ、チオモルホリノ、チオアゾリジノ、テトラヒドロキノリノまたはピリル；
−Ｎ（Ｒ1 ）Ｒ2 、ＣＯＮ（Ｒ1 ）Ｒ2 、ここに、Ｒ1 およびＲ2 は、同一であっても異なっていてもよく、それぞれ独立に水素、（Ｃ1 −Ｃ6 ）アルキル、（Ｃ3 −Ｃ6 ）シクロアルキル、フェニル、または−ＯＣＯＲ、−ＣＯＯＲもしくは−ＣＯＲ（ただし、Ｒは水素、（Ｃ1 −Ｃ6 ）アルキル、（Ｃ3 −Ｃ6 ）シクロアルキルまたはフェニルであり； 
ｎは１〜６の整数であり、かつ
ｍは０〜２の整数である
ことを特徴とする請求項１に記載の組成物。
【請求項３】
Ｘはイオウであり、
Ｒ’、Ｒ’’は、同一であっても異なっていてもよく、それぞれ独立に水素、ニトロ、シアノ、アリル、フルオロ、クロロ、ブロモ、ピロリジノ、ピペリジノ、モルホリニル、フェニル、ベンジル、（Ｃ1 −Ｃ4 ）アルキルまたは（Ｃ1 −Ｃ4 ）アルコキシであり；
Ａ’およびＡ’’は、同一であっても異なっていてもよく、それぞれ独立に
直鎖状もしくは分岐状（Ｃ1 −Ｃ4 ）アルキル、（Ｃ3 −Ｃ6 ）シクロアルキル；
未置換、モノ−もしくはジ−置換フェニル、置換基はニトロ、アミノ、アシル、シアノ、メトキシ、エトキシ、メトキシエトキシ、フルオロ、クロロ、ビニル、アリル、メトキシカルボニル、エトキシカルボニル、（Ｃ1 −Ｃ4 ）アルキル、ジ（Ｃ1 −Ｃ4 ）アルキルアミノ、ピペラジノ、ピペリジノ、アリールピペリジノ、モルホリノ、ピロリジノ、アジリジノ、アクリロキシ、メタクリロキシ、フェニルアセチレニル、フェニルビニル；
未置換、もしくは（Ｃ1 −Ｃ4 ）アルキルまたはフェニルの置換基でモノ−置換されたフリル、チエニルもしくはピリルであり；
ｎは１〜４の整数であり、かつ
ｍは０〜２の整数である
ことを特徴とする請求項１に記載の組成物。
【請求項４】
５，５’−ビス［３−（ｐ−メトキシフェニル）−［３Ｈ］−ナフト［２，１−ｂ］ピラン−３−イル］−２，２’−ビチオフェン；
５，５’−ビス［３−（ｐ−メチルフェニル）−［３Ｈ］−ナフト［２，１−ｂ］ピラン−３−イル］−２，２’−ビチオフェン；
５，５’−ビス［３−（ｐ−フルオロフェニル）−［３Ｈ］−ナフト［２，１−ｂ］ピラン−３−イル］−２，２’−ビチオフェン；
５，５’−ビス［３−（ｏ−フルオロフェニル）−［３Ｈ］−ナフト［２，１−ｂ］ピラン−３−イル］−２，２’−ビチオフェン；
５，５’’’−ビス［３−（ナフタレン−２−イル）−［３Ｈ］−ナフト［２，１−ｂ］ピラン−３−イル］［２，２’，５’，２’’，５’’，２’’’］−クワテルチオフェン；または
５，５’’’−ビス［３−（ｏ−フルオロフェニル）−［３Ｈ］−ナフト［２，１−ｂ］ピラン−３−イル］［２，２’，５’，２’’，５’’，２’’’］−クワテルチオフェンからなる群から選ばれる化合物を含む組成物。
【国際調査報告】
2005508897.tif 000022
2005508897.tif 000023
2005508897.tif 000024